(57)【要約】【課題】心房と該心房から突出する心耳の間に設置する心臓ペースメーカー、及び該心臓ペースメーカーと、心臓ペーシング装置と、制御装置と、を具えている心臓ペーシングシステムを提供する。【解決手段】心臓において、心房と該心房から突出する心耳の間に設置することができる心臓ペースメーカー１０であって、心房と心耳を連通している連通口５２を閉塞することができるように設置されている閉塞手段１と、閉塞手段１に設けられていて、心臓ペースを調整することができる調整手段２と、を備えている心臓ペースメーカー１０を提供する。また、上記の心臓ペースメーカー１０と、右心室の内に設置する心臓ペーシング装置と、心臓ペースメーカー１０及び心臓ペーシング装置と通信可能な制御装置と、を具えている心臓ペーシングシステムをも提供する。【選択図】図１
2019181177.tif 000002
【特許請求の範囲】
【請求項１】
心臓内において、心房と該心房から突出する心耳の間に設置することができる心臓ペースメーカーであって、
前記心房と前記心耳を連通している連通口を閉塞することができる閉塞手段と、
前記閉塞手段に設けられていて、心臓ペースを調整することができる調整手段と、を備えている
ことを特徴とする心臓ペースメーカー。
【請求項２】
前記閉塞手段は、
前記心耳の内において前記心耳を閉塞するように設けることができる第１の閉塞ユニットと、
前記第１の閉塞ユニットに連接されていると共に、前記調整手段が設けられていて、前記心房の内周壁に前記心房と前記心耳との間にある前記連通口を閉塞するよう設けられることにより、前記調整手段が前記心房の内周壁に接触するように構成された第２の閉塞ユニットと、を具えている
ことを特徴とする請求項１に記載の心臓ペースメーカー。
【請求項３】
前記第１の閉塞ユニットは、
弾性を具えた本体部と、前記本体部を前記心耳の内壁面に引っ掛けることができるように前記本体部の周面部に設けられている複数のフック部と、を具えている
ことを特徴とする請求項２に記載の心臓ペースメーカー。
【請求項４】
前記調整手段は、
正常な心臓ペースに対応する所定の心拍数を記憶することができる記憶モジュールと、
心臓ペースを感知することができる感知モジュールと、
前記記憶モジュールと前記感知モジュールとに電気的に接続されていると共に、前記感知モジュールが感知した実際の心臓ペースを前記記憶モジュールが記憶した前記所定の心拍数と比較分析することができる分析モジュールと、
前記分析モジュールに電気的に接続されていると共に、前記心房の内周壁に接触していて心臓ペースを調整することができる駆動モジュールと、を具えており、
また、前記分析モジュールは、前記感知モジュールが感知した心臓ペースと前記所定の心拍数との差が閾値を超えると、前記駆動モジュールを駆動させ、心臓ペースが前記所定の心拍数と一致するように前記心房に刺激を与える
ことを特徴とする請求項１に記載の心臓ペースメーカー。
【請求項５】
前記調整手段は、
前記記憶モジュールに電気的に接続されていると共に、前記記憶モジュールに記憶された前記所定の心拍数を更新するための外部指令を受信することができる送受信モジュールを更に具えている
ことを特徴とする請求項４に記載の心臓ペースメーカー。
【請求項６】
前記調整手段は、
前記記憶モジュール及び前記分析モジュールに電力を供給することができるように設けられている電源モジュールを更に具えている
ことを特徴とする請求項４に記載の心臓ペースメーカー。
【請求項７】
前記閉塞手段は、
前記連通口を閉塞することができるように設置されていると共に、前記心耳の内壁面に引っ掛けることができるように周面部に設けられている複数のバーブを有している金属製の自己拡張型ステントと、
前記自己拡張型ステントの外表面を覆っている篩網と、を具え、
また、前記調整手段は、前記自己拡張型ステントの内に、前記自己拡張型ステントを経由して心臓ペースを調整することができるように設けられている
ことを特徴とする請求項１に記載の心臓ペースメーカー。
【請求項８】
左心房と左心房から突出する左心耳の間に設置するために構成されている
ことを特徴とする請求項１に記載の心臓ペースメーカー。
【請求項９】
右心房と右心房から突出する右心耳の間に設置するために構成されている
ことを特徴とする請求項１に記載の心臓ペースメーカー。
【請求項１０】
請求項１〜請求項７のいずれか一項に記載の心臓ペースメーカーと、心臓ペーシング装置と、制御装置とを具え、患者の心臓ペースを調整する心臓ペーシングシステムであって、
前記心臓ペースメーカーは、心臓内において左心房と左心房から突出する左心耳の間に設置されており、
前記心臓ペーシング装置は、右心室の内に設置され、心臓ペースを感知して心臓ペースの調整を実行することができ、
前記制御装置は、前記心臓ペースメーカー及び前記心臓ペーシング装置と通信可能であり、前記心臓ペースメーカー及び前記心臓ペーシング装置の少なくともいずれか１つにより測定された心臓ペースに従って、前記心臓ペースメーカー及び前記心臓ペーシング装置の少なくともいずれか１つを駆動することができ、
それにより、前記心臓ペースメーカーに対応する左心房、又は、前記心臓ペーシング装置に対応する右心室、又は、前記左心房と前記右心室との両方にも対して心臓ペースの調整を実行することができる
ことを特徴とする心臓ペーシングシステム。
【請求項１１】
請求項１〜請求項７のいずれか一項に記載の心臓ペースメーカーと、心臓ペーシング装置と、制御装置とを具え、患者の心臓ペースを調整する心臓ペーシングシステムであって、
前記心臓ペースメーカーは、心臓内において右心房と右心房から突出する右心耳の間に設置されており、
前記心臓ペーシング装置は、右心室の内に設置され、心臓ペースを感知して心臓ペースの調整を実行することができ、
前記制御装置は、前記心臓ペースメーカー及び前記心臓ペーシング装置と通信可能であり、前記心臓ペースメーカー及び前記心臓ペーシング装置の少なくともいずれか１つにより測定された心臓ペースに従って、前記心臓ペースメーカー及び前記心臓ペーシング装置の少なくともいずれか１つを駆動することができ、
それにより、前記心臓ペースメーカーに対応する右心房、又は、前記心臓ペーシング装置に対応する右心室、又は、前記右心房と前記右心室との両方にも対して心臓ペースの調整を実行することができる
ことを特徴とする心臓ペーシングシステム。
【請求項１２】
前記制御装置は、
無線技術によって前記心臓ペースメーカーと通信し、
ワイヤー及び無線技術のいずれか１つによって前記心臓ペーシング装置と通信することができる
ことを特徴とする請求項１０又は請求項１１に記載の心臓ペーシングシステム。
【請求項１３】
前記制御装置は、
前記心臓ペースメーカー及び前記心臓ペーシング装置のいずれか１つと一体化され、
また、前記心臓ペースメーカーと、前記心臓ペーシング装置とが無線通信により互いに通信し、それぞれ互いに心臓ペースの調整を制御することができる
ことを特徴とする請求項１０又は請求項１１に記載の心臓ペーシングシステム。
【請求項１４】
前記心臓ペーシング装置は、パルス生成器と、前記パルス発生器と電気的に接続されていると共に、右心室と接触する電極と、を具え、前記パルス発生器が前記電極を経由して心臓ペースを調整することができる
ことを特徴とする請求項１０又は請求項１１に記載の心臓ペーシングシステム。
【発明の詳細な説明】
【技術分野】
【０００１】
本発明は心臓ペースメーカー及び心臓ペーシングシステムに関し、特には心房と該心房から突出する心耳の間に設置することができる心臓ペースメーカー、及び、該心臓ペースメーカーを利用する心臓ペーシングシステムに関する。
【背景技術】
【０００２】
人間の心拍数はおおよそ１分間で７０回程度である。しかし、心拍数は、加齢、内分泌障害、冠動脈心疾患などの原因で下がる恐れがある。重度の場合には、心拍数が１分間で４０回を下回り、或いは、３〜６秒間の心停止が起こる可能性がある。そうなると、血液が人体の各部位に十分な酸素を供給することができなくなってしまうことで、眩暈、呼吸促迫、疲労、足浮腫、卒倒といった症状を引き起こしやすい。
【０００３】
医師は、一般的には、上記のような症状を有する患者に対して、適切な心臓ペースを調整することができる心臓ペースメーカー(即ち、人工ペースメーカー)を人体に埋設することをアドバイスする。
【０００４】
従来の人工ペースメーカーは、内に電池及び電気回路を具えた金属製ボックスのような電子医療装置であるパルス発生装置と、心臓と接触する電極と、両端がそれぞれパルス発生装置と電極とに電気的に接続されているリードと、から構成されているものである。
【０００５】
以下、従来の人工ペースメーカーの人体への設置及び操作について説明する。まず、手術により患者の鎖骨下において、パルス発生装置を設置する。次に、リードを用いて静脈系を通して電極を心房又は心室の内に進入させる。そして、電極を心房又は心室の内壁面と接触させる。
【０００６】
パルス発生装置は、従来の人工ペースメーカーを装着した患者の心臓の不整脈を検出しながら、電極がリードを経由して心臓に対して電気的なパルスを発射し、心筋に刺激を与えることによって心臓ペーシングを実行する。
【先行技術文献】
【特許文献】
【０００７】
【特許文献１】中国実用新案第２４５１１３９号明細書
【発明の概要】
【発明が解決しようとする課題】
【０００８】
しかしながら、上記した従来の人工ペースメーカーは、設置の自由度、及び機能の多様性において尚も改善の余地がある。
【０００９】
したがって、本発明は、設置方式についても使用についても更に改善され、且つ、心臓ペーシングだけでなく、他の機能をも具えている心臓ペースメーカー及び心臓ペーシングシステムを提供することを目的とする。
【課題を解決するための手段】
【００１０】
上記目的を達成すべく、本発明は以下の心臓ペースメーカーを提供する。
【００１１】
即ち、心臓内において、心房と該心房から突出する心耳の間に設置することができる心臓ペースメーカーであって、
心房と心耳を連通している連通口を閉塞することができる閉塞手段と、
閉塞手段に設けられていて、心臓ペースを調整することができる調整手段と、を備えている心臓ペースメーカーを提供する。
【００１２】
また、本発明は、上記の心臓ペースメーカーと、心臓ペーシング装置と、制御装置とを具え、患者の心臓ペースを調整する心臓ペーシングシステムであって、
心臓ペースメーカーは、心臓内において左心房と左心房から突出する左心耳の間に設置されており、
心臓ペーシング装置は、右心室の内に設置し、心臓ペースを感知して心臓ペースの調整を実行することができ、
制御装置は、心臓ペースメーカー及び心臓ペーシング装置と通信可能であり、心臓ペースメーカー及び心臓ペーシング装置の少なくともいずれか１つにより測定された心臓ペースに従って、心臓ペースメーカー及び心臓ペーシング装置の少なくともいずれか１つを駆動することができ、
それにより、心臓ペースメーカーに対応する左心房、又は、心臓ペーシング装置に対応する右心室、又は、左心房と右心室との両方にも対して心臓ペースの調整を実行することができる心臓ペーシングシステムをも提供する。
【００１３】
また、本発明は、上記の心臓ペースメーカーと、心臓ペーシング装置と、制御装置とを具え、患者の心臓ペースを調整する心臓ペーシングシステムであって、
心臓ペースメーカーは、心臓内において右心房と右心房から突出する右心耳の間に設置されており、
心臓ペーシング装置は、右心室の内に設置し、心臓ペースを感知して心臓ペースの調整を実行することができ、
制御装置は、心臓ペースメーカー及び心臓ペーシング装置と通信可能であり、心臓ペースメーカー及び心臓ペーシング装置の少なくともいずれか１つにより測定された心臓ペースに従って、心臓ペースメーカー及び心臓ペーシング装置の少なくともいずれか１つを駆動することができ、
それにより、心臓ペースメーカーに対応する右心房、又は、心臓ペーシング装置に対応する右心室、又は、右心房と前記右心室との両方にも対して心臓ペースの調整を実行することができる心臓ペーシングシステムをも提供する。
【発明の効果】
【００１４】
上記手段によれば、本発明の心臓ペースメーカーは、心臓内において、左心房と左心房から突出する左心耳の間、或いは、右心房と右心房から突出する右心耳の間に設置することによって、心室の内に設置される従来の人工ペースメーカーにより引き起こされる異物感を解消することができ、且つ、心房と心耳を連通している連通口を閉塞することで、心房から心耳に血液が逆流することを防止することができる。
【００１５】
また、本発明の心臓ペーシングシステムは、心房と該心房から突出する心耳の間に設置する心臓ペースメーカー、及び、右心室の内に設置された心臓ペーシング装置に対して制御装置により個別または同時に駆動することができることで、患者の症状に応じて、心房のみ、又は、心室のみ、又は、心房及び心室の両方に対して心臓ペーシングを行うことを実現させることができる。
【００１６】
そのため、本発明に係る心臓ペースメーカー、及び、該心臓ペースメーカーを利用する心臓ペーシングシステムは、例えば、洞不全症候群、徐脈性不整脈、頻脈性不整脈、心房細動といった症状に対して治療手段を提供することができる。
【図面の簡単な説明】
【００１７】
【図１】本発明に係る第１の実施形態の心臓ペースメーカーが左心房と左心耳との間に設置された態様が示される模式図である。
【図２】該第１の実施形態の心臓ペースメーカーが右心房と右心耳の間に設置された態様が示される模式図である。
【図３】該第１の実施形態の心臓ペースメーカーの構成を説明するブロック図である。
【図４】本発明に係る心臓ペーシングシステムの一実施形態において、心臓ペースメーカーが左心房と左心耳の間に設置され、且つ、心臓ペーシング装置が右心室の内に設置された態様が示される模式図である。
【図５】上記実施形態において、心臓ペースメーカーが右心房と右心耳の間に設置され、且つ、心臓ペーシング装置が右心室の内に設置された態様が示される模式図である。
【図６】本発明に係る心臓ペーシングシステムにおいて、心臓ペースメーカーと、心臓ペーシング装置と、制御装置とを具えていることを説明するブロック図である。
【図７】本発明に係る第２の実施形態の心臓ペースメーカーが左心房と左心耳との間に設置された態様が示される模式図である。
【図８】該第２の実施形態の心臓ペースメーカーが右心房と右心耳の間に設置された態様が示される模式図である。
【図９】該第２の実施形態の心臓ペースメーカーの構成を説明するブロック図である。
【発明を実施するための形態】
【００１８】
以下、本発明に係る心臓ペースメーカー１０及び心臓ペーシングシステム１００について実施例を挙げて図面を参照して説明する。
【００１９】
（心臓ペースメーカー１０）
図１〜図３を参照して本発明に係る心臓ペースメーカー１０の第１の実施形態を説明する。ここで、図1は本発明に係る第１の実施形態の心臓ペースメーカー１０が左心房４と左心耳５との間に設置された態様が示される模式図であり、図２は該第１の実施形態の心臓ペースメーカー１０が右心房７と右心耳８の間に設置された態様が示される模式図であり、図３は該第１の実施形態の心臓ペースメーカー１０の構成を説明するブロック図である。
【００２０】
図１及び図２に示されるように、本発明に係る心臓ペースメーカー１０は、心臓内において、心房と該心房から突出する心耳の間（即ち、左心房４と左心房４から突出する左心耳５の間、又は、右心房７と右心房７から突出する右心耳８の間）に設置することができ、且つ、閉塞手段１と、調整手段２と、を備えているものである。
【００２１】
閉塞手段１は、左心房４と左心耳５の間、又は、右心房７と右心耳８の間を連通している連通口５２を閉塞することができる。
【００２２】
また、該閉塞手段１は、図１及び図２に示されるように、心耳の内において心耳を閉塞するように設けることができる第１の閉塞ユニット１１と、第１の閉塞ユニット１１に連接されていると共に、調整手段２が設けられていて、心房の内周壁に心房と心耳との間にある連通口５２を閉塞するよう設けられることにより、調整手段２を心房の内周壁と接触するようにすることができる第２の閉塞ユニット１２と、を具えている。
【００２３】
なお、本実施形態では、閉塞手段１は、セント・ジュード・メディカル株式会社（St. Jude Medical, Inc.）製の左心耳閉鎖器（ＬＡＡ閉鎖器）である。勿論、ここで上記の左心耳閉鎖器に限定されず、上記の閉塞手段１と共通している構造及び機能を具えた心耳閉鎖器を採用することもできる。
【００２４】
また、該第１の閉塞ユニット１１は、図１及び図２に示されるように、弾性を具えた本体部１１１と、本体部１１１を心耳の内壁面５１に引っ掛けることができるように本体部１１１の周面部に設けられている複数のフック部１１２と、を具えている。
【００２５】
本実施形態では、本体部１１１は、ニッケル−チタン（nickel-titanium、Nitinol）合金線材、或いは、生体適合性ポリマー（biocompatible polymer）線材により編まれた自己膨張可能な構造であり、且つ、外側がポリマーフィルムで覆われている。よって、図１及び図２に示されるように、血液が該本体部１１１により右心房７から右心耳８に、又は、左心房４から左心耳５に流入することを遮断することができることで、血栓の発生を防止することができる。また、本体部１１１の表面に抗凝固剤（例えば、ヘパリン）、或いは、抗血栓性組成物を塗布することによって、本体部１１１が抗血栓の特性を有するようにすることもできる。
【００２６】
該第２の閉塞ユニット１２は、図１及び図２に示されるように、心耳の延伸方向に垂直な仮想平面上の投影面積が第１の閉塞ユニット１１の本体部１１１の投影面積より大きく形成されている。
【００２７】
調整手段２は、図１及び図２に示されるように、一部（後述する駆動モジュール１２６）が心房の内周壁に接触して心臓ペースを調整することができるように閉塞手段１に設けられていて、且つ、制御モジュール１２０と、駆動モジュール１２６と、を具えている。
【００２８】
該制御モジュール１２０は、本発明に係る心臓ペースメーカー１０を装着した患者のリアルタイムの生体データ（例えば、心拍数、血圧など）を連続的に監視することができ、心臓の異常が発生する際に、心臓ペースを調整することができるように設けられている上、図３に示されるように、記憶モジュール１２３と、感知モジュール１２４と、分析モジュール１２５と、送受信モジュール１２７と、電源モジュール１２８と、を具えている。
【００２９】
記憶モジュール１２３は、例えば、不揮発性メモリセルであることができ、正常な心臓ペースに対応する所定の心拍数を記憶することができる。
【００３０】
感知モジュール１２４は、心臓ペースメーカー１０を装着した患者の心臓ペースを感知することができる。
【００３１】
分析モジュール１２５は、マイクロコントローラユニット（microcontroller unit、略称：ＭＣＵ）であることができ、且つ、記憶モジュール１２３と感知モジュール１２４とに電気的に接続されていると共に、感知モジュール１２４が感知した実際の心臓ペースを記憶モジュール１２３が記憶した所定の心拍数と比較分析することができる。
【００３２】
送受信モジュール１２７は、記憶モジュール１２３に電気的に接続されていると共に、外部指令（例えば、正常な心拍数信号）を受信してから、該外部指令に従って記憶モジュール１２３に記憶された所定の心拍数を更新することができる。また、該外部指令は、医者等の判断に従って、例えば、携帯型通信装置、コンピューター（図示せず）を用いて送信されたものである。
【００３３】
即ち、本実施形態では、該送受信モジュール１２７は、無線技術（例えば、Ｗｉ−Ｆｉ、Ｂｌｕｅｔｏｏｔｈ（登録商標）、ＺｉｇＢｅｅ（登録商標）など）を介して、外部指令を受信したり、記憶モジュール１２３に記憶されているデータを外部に送信したりすることができるように構成されている。
【００３４】
電源モジュール１２８は、電池又はコンデンサであることができ、且つ、記憶モジュール１２３、感知モジュール１２４、分析モジュール１２５、送受信モジュール１２７等に電力を供給することができるように設けられている。
【００３５】
該駆動モジュール１２６は、図１及び図２に示されるように、第２の閉塞ユニット１２の外周縁に突出された円盤状または柱状の電極であり、且つ、分析モジュール１２５に電気的に接続されていると共に、心房の内周壁に接触していて、心房に電気的刺激を与えることで心臓ペースを調整することができる。
【００３６】
また、分析モジュール１２５は、感知モジュール１２４が感知した心臓ペースと所定の心拍数との差が閾値を超えると、駆動モジュール１２６を駆動させ、心臓ペースが所定の心拍数と一致するように心房に刺激を与える。
【００３７】
以下、患者の心臓に本発明に係る心臓ペースメーカー１０を装着することについて説明する。
【００３８】
まず、本発明に係る心臓ペースメーカー１０をカテーテル（図示せず）に搭載する。
【００３９】
次に、本発明に係る心臓ペースメーカー１０を具えたカテーテルを利用して、心臓ペースメーカー１０を患者の心臓において心房と該心房から突出する心耳の間を連通している連通口５２に近い箇所まで輸送する。
【００４０】
そして、第１の閉塞ユニット１１を心耳の内に押し込むと共に、本体部１１１が自己膨張の特性により心耳を閉塞し、本体部１１１の周囲に設けられた複数のフック部１１２により第１の閉塞ユニット１１を心耳の内壁面５１に挿入固定することに加え、第２の閉塞ユニット１２は、心房と心耳との間にある連通口５２を閉塞するように心房の内周壁に設けられる。
【００４１】
即ち、第１の閉塞ユニット１１は、弾性を具えた本体部１１１から心耳の内壁に与える圧力と、複数のフック部１１２による保持力との両方によって心耳の内にしっかりと固定される。さらに、第２の閉塞ユニット１２は、大部分の心耳に流れる血流を遮断することができる。それにより、心耳の内に血液の凝固が発生しにくくなる。
【００４２】
（心臓ペーシングシステム１００）
図４〜図６を参照して本発明に係る心臓ペーシングシステム１００の一実施形態を説明する。ここで、図４は上記第１の実施形態における心臓ペースメーカー１０が左心房４と左心耳５の間に設置され、且つ、心臓ペーシング装置２０が右心室６の内に設置される態様が示される模式図であり、図５は上記実施形態において、心臓ペースメーカー１０が右心房７と右心耳８の間に設置され、且つ、心臓ペーシング装置２０が右心室６の内に設置された態様が示される模式図であり、また、図６は本発明に係る心臓ペーシングシステム１００において、心臓ペースメーカー１０と、心臓ペーシング装置２０と、制御装置３０と、を具えていることを説明するブロック図である。
【００４３】
図４及び図５に示されるように、本発明に係る心臓ペーシングシステム１００は、上記に記載された心臓ペースメーカー１０と、心臓ペーシング装置２０と、制御装置３０と、を具え、患者の心臓ペースを調整する。
【００４４】
本実施形態では、心臓ペースメーカー１０は、図４に示されるように、心臓内における左心房４と左心房４から突出する左心耳５の間に、左心房４から左心耳５への血流を遮断して血栓を防止することができるように、且つ左心房４に対して心臓ペーシングを行うことができるように設置されている。
【００４５】
心臓ペーシング装置２０は、図４に示されるように、右心室６の内に設置し、心臓ペースを感知して心臓ペースの調整を実行することができる。また、該心臓ペーシング装置２０は、パルス生成器２１と、パルス発生器２１と電気的に接続されていると共に、右心室６と接触する電極２２と、を具えている。本実施形態では、該心臓ペーシング装置２０は、既存の人工ペースメーカーを採用している。
【００４６】
また、パルス生成器２１は、右心室６の正常な心臓ペースに対応する所定の心拍数を記憶することができることに加え、心臓ペーシング装置２０を装着した患者の右心室６の心臓ペースを感知することができる。そして、パルス生成器２１により該心臓ペース及び該所定の心拍数との差が閾値を超えると判定されると、電極２２を経由して右心室６に対してパルスを発して刺激を与えて、右心室６の心臓ペースを調整することができる（ＶＶＩモード）。
【００４７】
即ち、心臓ペーシング装置２０のパルス生成器２１は、心臓ペースメーカー１０における調整手段２の記憶モジュール１２３と同様に正常な心臓ペースに対応する所定の心拍数を記憶する機能を具えている。
【００４８】
制御装置３０は、心臓ペースメーカー１０及び心臓ペーシング装置２０と通信可能であり、心臓ペースメーカー１０及び心臓ペーシング装置２０の少なくともいずれか１つにより測定された心臓ペースに従って、心臓ペースメーカー１０及び心臓ペーシング装置２０の少なくともいずれか１つを駆動することができる。それにより、心臓ペースメーカー１０に対応する左心房４、又は、心臓ペーシング装置２０に対応する右心室６、又は、左心房４と右心室６との両方に対して心臓ペースの調整を実行することができる。
【００４９】
また、該制御装置３０は、一般的には、患者の鎖骨下に設置され、且つ、図６に示されるように、無線技術によって心臓ペースメーカー１０と通信し、ワイヤー及び無線技術のいずれか１つによって心臓ペーシング装置２０と通信することができる。
【００５０】
さらに、該制御装置３０は、心臓ペースメーカー１０及び心臓ペーシング装置２０のいずれか１つと一体化されてもよく、そして心臓ペースメーカー１０と心臓ペーシング装置２０とが無線通信により互いに通信し、それぞれ互いに心臓ペースの調整を制御することができるように構成することもできる。
【００５１】
なお、本発明に係る心臓ペーシングシステム１００において、該制御装置３０は、図４に示されるように、心臓ペースメーカー１０及び心臓ペーシング装置２０を駆動することができることによって、左心房４に対しても右心室６に対しても心臓ペースを調整させることができる（ＤＤＤモード）。
【００５２】
より具体的に言うと、本発明に係る心臓ペーシングシステム１００を使用している患者の心臓ペーシング装置２０のパルス生成器２１により感知された心臓ペースが、心臓ペーシング装置２０に記憶された所定の心拍数より遅くなって、右心室６の伝導障害が発生してしまうと、該制御装置３０は、パルス生成器２１により感知されたＰ波に従って、電極２２により右心室６に対して心臓ペーシングを行う（ＶＤＤモード）。
【００５３】
さらに、該制御装置３０は、心臓ペースメーカー１０の調整手段２における感知モジュール１２４により感知された心臓ペースによって、房室伝導は正常であるが左心房４の心拍数が正常より遅くなっていると判断した場合、該制御装置３０が調整手段２の記憶モジュール１２３に記憶された所定の心拍数に従って、駆動モジュール１２６を経由して左心房４に対して心臓ペーシングを行って、そして右心室６まで伝導する（ＡＡＩモード）。
【００５４】
そのため、心臓ペースメーカー１０の調整手段２で心臓ペーシングを行うことによって、左心房４の収縮数及び右心室６の収縮数を同調させることができる。
【００５５】
また、本発明に係る心臓ペーシングシステム１００における他の実施形態では、心臓ペースメーカー１０は、図５に示されるように、心臓内において右心房７と右心房７から突出する右心耳８の間に、右心房７から右心耳８への血流を遮断することができ、血栓を防止することができるように設置されていると共に、右心房７に対して心臓ペーシングを行うことができる。
【００５６】
即ち、右心房７と右心耳８の間に設置された心臓ペースメーカー１０は、図５に示されるように、右心室６の内に設置され、心臓ペースを感知して心臓ペースの調整を実行することができる心臓ペーシング装置２０と共に、本発明に係る心臓ペーシングシステム１００を構成することができる。
【００５７】
ここで、制御装置３０は、同じく心臓ペースメーカー１０及び心臓ペーシング装置２０と通信可能であり、そして心臓ペースメーカー１０及び心臓ペーシング装置２０の少なくともいずれか１つにより測定された心臓ペースに従って、心臓ペースメーカー１０、及び心臓ペーシング装置２０の少なくともいずれか１つを駆動することができる。それにより、心臓ペースメーカー１０に対応する右心房７、又は、心臓ペーシング装置２０に対応する右心室６、又は、右心房７と右心室６との両方に対して心臓ペースの調整を実行することができる。
【００５８】
また、該制御装置３０は、一般的には、患者の鎖骨下に設置され、且つ、図６に示されるように、無線技術によって心臓ペースメーカー１０と通信し、ワイヤー及び無線技術のいずれか１つによって心臓ペーシング装置２０と通信することができる。
【００５９】
さらに、該制御装置３０は、心臓ペースメーカー１０及び心臓ペーシング装置２０のいずれか１つと一体化されてもよく、そして心臓ペースメーカー１０と心臓ペーシング装置２０とが無線通信により互いに通信し、それぞれ互いに心臓ペースの調整を制御することができるように構成することもできる。
【００６０】
なお、本発明に係る心臓ペーシングシステム１００において、該制御装置３０は、図５及び図６に示されるように、心臓ペースメーカー１０及び心臓ペーシング装置２０を駆動することができることによって、右心房７に対しても右心室６に対しても心臓ペースを調整することができる（ＤＤＤモード）。
【００６１】
より具体的に言うと、本発明に係る心臓ペーシングシステム１００を使用している患者の心臓ペーシング装置２０のパルス生成器２１により感知された心臓ペースが、心臓ペーシング装置２０に記憶された所定の心拍数より遅くなって、右心室６の伝導障害が発生してしまうと、該制御装置３０は、パルス生成器２１により感知されたＰ波に従って、電極２２により右心室６に対して心臓ペーシングを行う（ＶＤＤモード）。
【００６２】
さらに、該制御装置３０は、心臓ペースメーカー１０の調整手段２における感知モジュール１２４により感知された心臓ペースによって、房室伝導は正常であるが右心房７の心拍数が正常より遅くなっていると判断した場合、該制御装置３０が調整手段２の記憶モジュール１２３に記憶された所定の心拍数に従って、駆動モジュール１２６により右心房７に対して心臓ペーシングを行って、そして右心室６まで伝導する（ＡＡＩモード）。
【００６３】
そのため、心臓ペースメーカー１０の調整手段２で心臓ペーシングを行うことによって、右心房７の収縮数及び右心室６の収縮数を同調させることができる。
【００６４】
図７〜図９を参照して本発明に係る心臓ペースメーカー１０の第２の実施形態を説明する。ここで、図７は本発明に係る第２の実施形態の心臓ペースメーカー１０が左心房４と左心耳５との間に設置された態様が示される模式図であり、図８は該第２の実施形態の心臓ペースメーカー１０が右心房７と右心耳８の間に設置された態様が示される模式図であり、図９は該第２の実施形態の心臓ペースメーカー１０の構成を説明するブロック図である。
【００６５】
図７及び図８に示されるように、本発明に係る第２の実施形態の心臓ペースメーカー１０は、第１の実施形態の心臓ペースメーカー１０と同じく心臓内において、心房と該心房から突出する心耳の間（即ち、左心房４と左心耳５の間、又は、右心房７と右心耳８の間）に設置することができ、且つ、左心耳５または右心耳８の内に血液の凝固を防止することができる閉塞手段１と、第２の実施形態の心臓ペースメーカー１０を装着した患者の心臓ペースを連続的に監視することができ、心臓の異常が発生する際に、心臓ペーシングを実行させることができる調整手段２と、を備えているものである。
【００６６】
本実施形態では、閉塞手段１は、図７及び図８に示されるように、連通口５２を閉塞することができるように設置されていると共に、心耳（左心耳５、又は、右心耳８）の内壁面５１に引っ掛けることができるように周面部に設けられている複数のバーブ４１３を有している金属製の自己拡張型ステント４１１と、自己拡張型ステント４１１の外表面を覆っている篩網４１２と、を具えている。
【００６７】
該自己拡張型ステント４１１は、例えば、ニッケル−チタン合金からなる自己膨張可能な構造である。該篩網４１２は、例えば、ポリテトラフルオロエチレン製の浸透性を有する自己膨張可能な多孔フィルムである。
【００６８】
なお、本実施形態では、閉塞手段１は、ボストン・サイエンティフィック社（Boston Scientific）製の左心耳閉鎖器（ＬＡＡ閉鎖器）である。勿論、ここで上記の左心耳閉鎖器に限定されず、上記の閉塞手段１と共通している構造及び機能を具えた心耳閉鎖器を採用することができる。
【００６９】
本発明に係る心臓ペースメーカー１０の第２の実施形態における調整手段２は、図９に示されるように、第１の実施形態の調整手段２と多くの構成及び機能が共通する。本実施形態では、該調整手段２は、自己拡張型ステント４１１の内に設けられ、且つ、調整手段２の駆動モジュール１２６が自己拡張型ステント４１１に電気的に接続されていることで、自己拡張型ステント４１１を経由して心臓ペースを調整することができる。
【００７０】
そのため、調整手段２の分析モジュール１２５は、感知モジュール１２４が感知した心臓ペースと記憶モジュール１２３が記憶した所定の心拍数との差が閾値を超えると、駆動モジュール１２６を駆動させ、自己拡張型ステント４１１を経由して心臓ペースが所定の心拍数と一致するように左心房４又は右心房７に対して刺激を与えて、心臓ペースを調整する目的を達成させることができる。
【００７１】
総括すると、本発明に係る心臓ペースメーカー１０は、左心房４と左心耳５の間、或いは、右心房７と右心耳８の間に設置することによって、心室の内に設置される従来の人工ペースメーカーにより引き起こされる異物感を解消することができることに加え、心房と心耳を連通している連通口５２を閉塞することで、心房から心耳に流入する血流を遮断することができ、心耳の内において血液の凝固が発生する可能性を大いに低くさせることができる。
【００７２】
さらに、本発明の心臓ペーシングシステム１００は、制御装置３０により心房と該心房から突出する心耳の間に設置する心臓ペースメーカー１０、及び、右心室６の内に設置された心臓ペーシング装置２０に対して個別または同時に駆動することができることで、患者の症状に応じて、心房のみ、又は、心室のみ、又は、心房及び心室の両方に対して心臓ペーシング（即ち、単腔ペーシング、二腔ペーシング）を行うことを実現させることができる。そのため、例えば、洞不全症候群、徐脈性不整脈、頻脈性不整脈、心房細動といった症状に対して治療を提供することができる。
【００７３】
上記においては、本発明の全体的な理解を促すべく、多くの具体的な詳細が示された。しかしながら、当業者であれば、一またはそれ以上の他の実施形態が具体的な詳細を示さなくとも実施され得ることが明らかである。
【００７４】
以上、本発明の好ましい実施形態及び変化例を説明したが、本発明はこれらに限定されるものではなく、最も広い解釈の精神および範囲内に含まれる様々な構成として、全ての修飾および均等な構成を包含するものとする。
【産業上の利用可能性】
【００７５】
本発明は、上記のように記載された心臓ペースメーカーによって、心臓ペースをも調整することができるだけでなく、心房から心耳に流入する血流を遮断することができ、心耳の内において血液の凝固が発生しにくくなる。
【００７６】
また、上記のように記載された心臓ペーシングシステムによって、心臓ペースメーカーで心耳の内に血液の凝固を防止すると共に、心臓ペースメーカー及び心臓ペーシング装置で単腔ペーシングでも二腔ペーシングでも行うことができ、従来の人工ペースメーカーよりも多くの機能を具えている。
【００７７】
そのため、産業上の利用可能性がある。
【符号の説明】
【００７８】
１００  心臓ペーシングシステム
１  閉塞手段
１０  心臓ペースメーカー
１１  第１の閉塞ユニット
１１１  本体部
１１２  フック部
１２  第２の閉塞ユニット
１２０  制御モジュール
１２３  記憶モジュール
１２４  感知モジュール
１２５  分析モジュール
１２６  駆動モジュール
１２７  送受信モジュール
１２８  電源モジュール
２  調整手段
２０  心臓ペーシング装置
２１  パルス生成器
２２  電極
３０  制御装置
４  左心房
４１１  自己拡張型ステント
４１２  篩網
４１３  バーブ
５  左心耳
５１  内壁面
５２  連通口
６  右心室
７  右心房
８  右心耳
【図１】
2019181177.tif 000003
【図２】
2019181177.tif 000004
【図３】
2019181177.tif 000005
【図４】
2019181177.tif 000006
【図５】
2019181177.tif 000007
【図６】
2019181177.tif 000008
【図７】
2019181177.tif 000009
【図８】
2019181177.tif 000010
【図９】
2019181177.tif 000011